(57)【特許請求の範囲】
【請求項１】
略平坦な底面の側縁に沿って形成された側壁部を有するフレーム内に設けられたミラーと弾性的に接触して前記ミラーの振動を抑止する片持ち梁部が形成された板ばねを有する光学走査部を、読み取られる原稿載置面に対向して設けられた原稿読取装置において、
前記板ばねの前記片持ち梁部の基部近傍に突起部を形成し、前記板ばねを前記フレームの前記側壁部に取り付ける際に前記突起部を前記側壁部に当接させて前記片持ち梁部を変形させ、該片持ち梁部の先端近傍に形成された前記ミラーとの接触部を位置決めすることを特徴とする原稿読取装置。
【請求項２】
前記板ばねの前記片持ち梁部に形成された前記突起部は、前記片持ち梁部を略「く」の字状に折り曲げて形成されることを特徴とする請求項１に記載の原稿読取装置。
【請求項３】
前記板ばねは、前記ミラーの長手方向に沿って離間して配置された複数個であることを特徴とする請求項１又は２に記載の原稿読取装置。
【請求項４】
略平坦な底面の側縁に沿って形成された側壁部を有するフレームに配置された光学走査部のミラーと弾性的に接触して該ミラーの振動を抑止する板ばねを含む原稿読取装置のミラー振動抑止機構において、
前記板ばねは、前記フレームの前記側壁部に取り付けられる略Ｕ字状の折り曲げ部、該折り曲げ部から延び先端近傍に前記ミラーとの接触部が形成された片持ち梁部および前記板ばねを前記フレームの前記側壁部に取り付ける際に該側壁部に当接して前記片持ち梁部を変形させる前記片持ち梁部の基部近傍に形成された突起部を備えることを特徴とする原稿読取装置のミラー振動抑止機構。
【請求項５】
前記板ばねは、両端に前記片持ち梁部が１対形成され、中央部に前記板ばねを前記フレームの前記側壁部に固定する固定部を備えることを特徴とする請求項４に記載の原稿読取装置のミラー振動抑止機構。
【請求項６】
前記板ばねは、前記１対の片持ち梁部および前記固定部間に別の片持ち梁部を有し、前記フレームに配置される前記ミラーと別のミラーと弾性的に接触させることを特徴とする請求項５に記載の原稿読取装置のミラー振動抑止機構。
【請求項７】
前記板ばねは、弾性金属板により一体的に形成されることを特徴とする請求項４、５又は６に記載の原稿読取装置のミラー振動抑止機構。
【発明の詳細な説明】
【技術分野】
【０００１】
本発明はファクシミリ装置、複写機、スキャナ等において原稿を光学的に読み取る原稿読取装置に関し、特に読み取り時に移動する光学ミラーが移動する際に発生する振動を抑える原稿読取装置およびそのミラー振動抑止機構に関する。
【背景技術】
【０００２】
ファクシミリ装置、複写機、スキャナ等にあっては、原稿読取装置により光源からの光ビームをミラーで反射させて原稿面を走査し、原稿面からの反射光量を光センサで求め、この光量を電気信号に変換して原稿に印刷又は描かれている文字や図形等の情報を読み取るのが一般的である。斯かる原稿読取装置では、原稿面を走査する読取速度が高速であり、読取解像度が高くしかも原稿（面の情報）を高精度で読み取ることが要求される。
【０００３】
図６は、一般的な従来の原稿読取装置の光学走査部の主要部を示す図である。この原稿読取装置の光学走査部１００は、ミラー１１、フレーム１４および一端がフレーム１４に固定されミラー１１を保持する板ばね１０１を備えている。また、この板ばね１０１は、片持ち梁部１０２およびミラー接触部１０３を有する。ところで、板ばね１０１は、弾性金属板の板金加工等により製造されると、複数の板ばねを纏めて箱又は袋に収容して保管および運搬するのが一般的である。従って、斯かる非平坦形状の板ばね１０１は、一般に相互に絡み合い、運搬中又は組立作業中に外力を受けて片持ち梁部１０２が変形する可能性が高く、その形状を一定に維持することが困難である。
【０００４】
上述の如き一般的な原稿読取装置の光学走査部の性能や取扱作業性を改善する多くの試みがなされ、また種々の文献に開示されている。ミラー反射面の背面から振動低減用のばねを当てて、ミラーの移動時の振動および歪みを低減し安定した走査を可能とする走査光学装置が開示されている（例えば、特許文献１参照。）。また、ミラーの厚さ側の片に振動抑え部材を当ててミラーと振動抑え部材との間に摩擦力を発生させ、ミラーに生じる振動を低減する画像読取装置及び画像形成装置が開示されている（例えば、特許文献２参照。）。更に、反射ミラーを第１支持部、第２支持部および下部支持プレートの突起で回転可能に支持し、複数の解像度、印字速度に対応した構成においても、反射ミラーの撓み振動を確実に抑制する光学走査装置が開示されている（例えば、特許文献３参照。）。
【０００５】
【特許文献１】特開２００２−２６７９８４号公報（第４-５頁、第３図、第４図）
【特許文献２】特開２００４-２０８７１号公報（第５頁、第２図）
【特許文献３】特開２００１−２１５４３４号公報（第４頁、第３図、第４図）
【発明の開示】
【発明が解決しようとする課題】
【０００６】
上述の如き従来技術は、何れもミラーを弾性的に固定する固定手段であって、細長いミラーを含む光学読取装置の移動に伴うミラーの振動を抑止するダンパではない。また、例えこれらの弾性支持部材をダンパに適用したとしても次の如き課題又は改善するべき欠点を有する。第１に、振動を抑えるために設けられる部材には、部品としての高い形状精度が要求されるため、結果として部品のコストが上昇する。その理由は、ミラーの振動を抑えるためにミラーに接触させる部材の形状が安定しないと、ミラーと部材との間に発生する摩擦力が安定せず、安定した制振又は振動抑止効果が得られないためである。
【０００７】
第２に、振動を抑えるために設けられる部材の取り扱いに細心の注意を払わないと、組立工程等で部品の形状が要求されるものに対して変化・変形してしまい、その効果が減少してしまう。その理由は、ミラーの振動を抑えるためにミラーに接触させる部分の形状が組立工程中に変形してしまった場合には、ミラーと部材との間に発生する摩擦力が減少してしまうため、期待する制振効果が得られないためである。
【０００８】
本発明は、従来技術の上述した課題又は欠点に鑑みなされたものであり、部品コストを削減できる原稿読取装置を提供することを主たる目的とする。本発明の他の目的は、取り扱いが容易なミラー振動抑止を備える原稿読取装置を提供することである。また、本発明の更に他の目的は、高い信頼性を有する原稿読取装置のミラー振動抑止機構を提供することである。
【課題を解決するための手段】
【０００９】
前述の課題を解決するため本発明による原稿読取装置およびそのミラー振動抑止機構は次のような特徴的な構成を採用している。
【００１０】
（１）略平坦な底面の側縁に沿って形成された側壁部を有するフレーム内に設けられたミラーと弾性的に接触して前記ミラーの振動を抑止する片持ち梁部が形成された板ばねを有する光学走査部を、読み取られる原稿載置面に対向して設けられた原稿読取装置において、
前記板ばねの前記片持ち梁部の基部近傍に突起部を形成し、前記板ばねを前記フレームの前記側壁部に取り付ける際に前記突起部を前記側壁部に当接させて前記片持ち梁部を変形させ、該片持ち梁部の先端近傍に形成された前記ミラーとの接触部を位置決めする原稿読取装置。
【００１１】
（２）前記板ばねの前記片持ち梁部に形成された前記突起部は、前記片持ち梁部を略「く」の字状に折り曲げて形成される上記（１）の原稿読取装置。
【００１２】
（３）前記板ばねは、前記ミラーの長手方向に沿って離間して配置された複数個である上記（１）又は（２）の原稿読取装置。
【００１３】
（４）略平坦な底面の側縁に沿って形成された側縁部を有するフレームに配置された光学走査部のミラーと弾性的に接触して該ミラーの振動を抑止する板ばねを含む原稿読取装置のミラー振動抑止機構において、
前記板ばねは、前記フレームの前記側壁部に取り付けられる略Ｕ字状の折り曲げ部、該折り曲げ部から延び先端近傍に前記ミラーとの接触部が形成された片持ち梁部および前記板ばねを前記フレームの前記側壁部に取り付ける際に該側壁部に当接して前記片持ち梁部を変形させる前記片持ち梁部の基部近傍に形成された突起部を備える原稿読取装置のミラー振動抑止機構。
【００１４】
（５）前記板ばねは、両端に前記片持ち梁部が１対形成され、中央部に前記板ばねを前記フレームの前記側壁部に固定する固定部を備える上記（４）の原稿読取装置のミラー振動抑止機構。
【００１５】
（６）前記板ばねは、前記１対の片持ち梁部および前記固定部間に別の片持ち梁部を有し、前記フレームに配置される前記ミラーと別のミラーと弾性的に接触させる上記（５）の原稿読取装置のミラー振動抑止機構。
【００１６】
（７）前記板ばねは、弾性金属板により一体的に形成される上記（４）、（５）又は（６）の原稿読取装置のミラー振動抑止機構。
【発明の効果】
【００１７】
本発明の原稿読取装置およびそのミラー振動抑止機構によると、次の如き実用上の顕著な効果が得られる。先ず、光学走査部のミラーの振動抑止用板ばねの製造に際し生じる寸法のばらつき、接触するミラーの外形寸法のばらつきおよびミラーの取付位置のばらつき等を広範囲で許容可能である。その理由は、ミラーとの接触部が別に設けられた突起部と他の部分との干渉により発生する外力によりミラーに近付くように移動又は変形するので、移動・変形した分、寸法ばらつきを取り込む（又は吸収する）ためである。
【００１８】
また、ミラー振動抑止用の板ばねの搬送中又は組立作業中に片持ち梁を変形させてしまっても、確実なミラー振動抑止効果が得られる。その理由は、ミラーとの接触部が、別に設けられた突起部とその他の部分干渉により発生する外力により、ミラーに近付くように移動・変形しているので、上述した変形量を吸収可能であるためである。
【実施例１】
【００１９】
以下、本発明による原稿読取装置およびそのミラー振動抑止機構の好適実施例について図面を参照して詳細に説明する。
【００２０】
先ず、図１は、本発明による原稿読取装置の主要部である光学走査部の好適実施例の分解斜視図である。この光学走査部１０は、複写機やスキャナ等の原稿載置窓の下に配置され、一般に駆動ベルト等の駆動手段により原稿載置面に沿って移動するよう構成されている。勿論、光学走査部１０を固定し、読み取られる原稿を移動させてもよい。
【００２１】
この光学走査部１０は、好ましくはアルミニウム等の金属板をプレスおよび折り曲げ加工して形成された略Ｕ字状の断面を有するフレーム１４と、このフレーム１４内に配置される複数のミラー（即ち、第１ミラー１１、第２ミラー１２および第３ミラー１３）と、ミラー振動抑止機構（又はミラー振動抑止手段）を構成する複数の板ばね（即ち、板ばね２０ａおよび２０ｂ）とを含んでいる。尚、これら各構成要素の一般的な機能は、当業者には周知であるので、詳細説明は省略する。
【００２２】
図１に示す光学走査部１０において、ミラー１１〜１３は、原稿読取装置において原稿面を走査する光ビームの光路を形成するためのミラーである。また、板ばね２０は、光学走査部１０におけるミラー振動抑止用の板金製の板ばねである。フレーム１４は、ミラー１１〜１３および板ばね２０を取付けるためのフレームである。このフレーム１４は、略平坦な底面１４ａおよびこの底面１４ａの両側縁から起立する側壁部１４ｂを含んでいる。
【００２３】
次に、図２は、図１に示す光学走査部１０中のミラー振動抑止用の板ばね２０の拡大斜視図である。図２に示す如く、この板ばね２０は、フレーム１４の側壁部１４ｂに取り付けられる略Ｕ字状の折り曲げ部２１、この折り曲げ部２１の両端から延びる片持ち梁部２２および折り曲げ部２１の中央部分に形成された固定部２５を有する。片持ち梁部２２は、その先端に折り曲げ形成されたミラー接触部２３および片持ち梁部２２の根元とミラー接触部２３との間に、例えば略「く」の字状に折り曲げて形成された頂点部（突起部）２４を有する。また、固定部２５には、片持ち梁状に切り起された弾性を有する舌片２６が形成されている。
【００２４】
次に、図３を参照して、光学走査部１０の組立工程およびミラー振動抑止機構を説明する。図３は、フレーム１４およびミラー振動抑止機構を構成する板ばね２０の組立工程を説明するための部分段面図である。図３（Ａ）は、板ばね２０をフレーム１４に取り付ける前の状態を示す。図３（Ｂ）は、板ばね２０をフレーム１４に取り付けた状態を示す。また、図３（Ｃ）は、フレーム１４に取り付けられた板ばね２０の片持ち梁部２２がミラー１１に接触している状態を示す。
【００２５】
板ばね２０は、フレーム１４（の側壁部１４ｂ）への取付前において、図３（Ａ）に示す如く、フレーム１４の側壁部１４ｂと片持ち梁部２２の曲げ部の頂点部２４とが干渉するような形状に形成されている。しかし、板ばね２０は、十分に弾性のある材料、例えば燐青銅等の金属で形成されているため、フレーム１４の側壁部１４ｂへの取付時に撓む。従って、図３（Ｂ）に示す如く、板ばね２０をフレーム１４へ取付後には、頂点部２４とフレーム１４の側壁部１４ｂが当接して片持ち梁部２２が変形する。尚、板ばね２０は、固定部２５に形成された舌片２６が、フレーム１４の側壁部１４ｂに形成された開口等と弾性的接触して、折り曲げ部２１と協働して自己支持状に支持又は固定される。従って、組立作業性が良好であり、修理その他の必要に応じて板ばね２０をフレーム１４から簡単且つ迅速に着脱可能である。
【００２６】
図３（Ｃ）に示す如く、板ばね２０の片持ち梁部２２の形状を、その変形後にミラー接触部２３がミラー１１に近付くような形状としておくことにより、ミラー接触部２３がミラー１１に確実に接触することになる。従って、例え搬送中又は組立作業中等に板ばね２０の片持ち梁部２２に外力が加えられて変形しても、板ばね２０の片持ち梁部２２の先端近傍に形成されたミラー接触部２３は、確実にミラー１１に接触して、その振動を効果的に防止することが可能である。
【００２７】
上述の如く、本発明の好適又は第１実施例では、板ばね２０のミラー１１とのミラー接触部２３が、頂点部２４とその他の部分、例えば実施例ではフレーム１４の側壁部１４ｂとの干渉で発生する外力によりミラー１１に一層近付くように移動・変形している。従って、板ばね２０の形成時に発生する寸法のばらつき、接触するミラー１１の外形寸法のばらつきおよびミラー１１の取付位置のばらつきを広範囲に許容することが可能である。しかも、上述した外力による変形を利用しているので、板ばね２０の搬送中又は組立作業中に片持ち梁部２２を変形させてしまったとしても、ミラー１１および板ばね２０の片持ち梁部２２のミラー接触部２３との相互作用又は接触を確実にすることが可能である。
【実施例２】
【００２８】
次に、図４および図５を参照して、本発明の第２実施例を説明する。図４は、図１と同様の原稿読取装置の光学走査部４０の分解斜視図である。図５は、図４中の板ばねの拡大斜視図である。この第２実施例の光学走査部４０の基本構成は、上述した好適又は第１実施例と同様であるので、対応する構成要素には同様の参照符号を使用する。そして、以下の説明は、相違点を中心に行うこととする。
【００２９】
この光学走査部４０も、フレーム１４、複数のミラー１１〜１３、複数の板ばね５０ａ、５０ｂにより構成される。また、板ばね５０は、略Ｕ字状に折り曲げた折り曲げ部５１、両端の片持ち梁部５２、固定用の舌片５６を有する中央の固定部５５を有する点で、上述した第１実施例における板ばね２０と同様である。
【００３０】
しかし、図５に示す如く、板ばね５０は、両端の片持ち梁部（第１片持ち梁部）５２に加えて、それらの内側に１対の片持ち梁部（第２片持ち梁部）５７を有することを特徴とする。これら第２片持ち梁部５７は、第１片持ち梁部５２と対応する部分に根元を有し、１つのばね部品として形成されている。そして、一度に２個のミラーに対して接触し、２個のミラーに対する振動抑止機能を有する。これにより、１個のミラーに対し１個のばね部品を取付けてミラーの振動抑止を図る構造が、１個のばね部品にて２個のミラーに対し振動抑止機能を持たせることにより、結果として部品点数の削減を可能にする。
【００３１】
以上に加えて本発明では、ミラーに触れてミラーが移動する際に発生する振動を減衰させるために、その接触部分を確実にミラーに触れさせて当該部材のみでも振動を減衰させることができるだけでなく、バネ部材の曲げ角度、長さなどの寸法ばらつきを吸収することもできる。また、本発明は、ミラーに触れてミラーが移動する際に発生する振動を減衰させ、ミラー振動減衰用部品の寸法誤差を吸収し、より確実な効果を得ている。
【００３２】
以上、本発明による原稿読取装置およびそのミラー振動抑止機構の好適実施例について詳述した。しかし、斯かる実施例は、本発明の単なる例示に過ぎず、何ら本発明を限定するものではないことに留意されたい。特定用途に応じて、本発明の要旨を逸脱することなく、種々の変形変更が可能であること、当業者には容易に理解できよう。例えば、板ばねの突起部は、上述の如く折り曲げではなく、エンボス等により形成してもよい。
【図面の簡単な説明】
【００３３】
【図１】本発明による原稿読取装置の第１実施例の光学走査部全体構成を示す分解斜視図である。
【図２】図２中のミラー振動抑止用板ばねの拡大斜視図である。
【図３】図１に示す光学走査部の組立および動作を説明する部分断面図であり、（Ａ）はフレームと板ばねの組立前、（Ｂ）はフレームと板ばねの組立後および（Ｃ）は板ばねとミラーとの接触作用関係を示す。
【図４】本発明による原稿読取装置の第２実施例の光学走査部の全体構成を示す分解斜視図である。
【図５】図４に示す板ばねの拡大斜視図である。
【図６】従来の原稿読取装置の光学走査部の構成を示す部分断面図である。
【符号の説明】
【００３４】
１０、４０  光学走査部
１１〜１３  ミラー
１４  フレーム
１４ｂ  フレームの側壁部
２０、５０  板ばね
２１、５１  折り曲げ部
２２、５２  片持ち梁部
２３、５３  ミラー接触部
２４、５４  突起部
２５、５５  固定部
５７  第２片持ち梁部
【図１】
0004612343.tif 000002
【図２】
0004612343.tif 000003
【図３】
0004612343.tif 000004
【図４】
0004612343.tif 000005
【図５】
0004612343.tif 000006
【図６】
0004612343.tif 000007